【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
閉鎖された底部、開放された上部、および側壁を有する管状のバイアルであって、該側壁は、前記バイアルの長手軸線に沿って配置されるとともに直径（Ｄ）を有する円柱状の内部を画定し、前記閉鎖された底部は前記開放された上部へ向けて延出する突起を有し、前記バイアルの底部および突起は、前記バイアルの長手軸線の周りに環状凹部を画定し、前記突起は前記環状凹部の中心に配置される前記バイアルと、
長手軸線を有する管状のプランジャアセンブリとを備えるフィルタバイアル装置であって、前記プランジャアセンブリは、
互いに対向するとともに、側壁によって連結される上端および下端を備えるプランジャであって、該プランジャ内には流体保持キャビティが画定され、前記下端は、外側環状面と、該外側環状面から前記上端へ向けて軸線方向にずらされた内側環状面とを有し、前記内側環状面は、前記プランジャアセンブリの長手軸線に対して直交すると共に、凹部側壁によって第１環状面に連結されて、前記プランジャアセンブリの長手軸線を囲む凹部を形成し、第２環状面は、前記プランジャの流体保持キャビティに流体連通する凹部開口を画定する前記プランジャと、
同心の内側壁および外側壁を有する環状のキャップであって、前記内側壁および前記外側壁は環状凹部を画定し、該凹部内に前記プランジャの底部の外側環状面が配置され、前記キャップの外側壁は前記プランジャの底部の外面まで延出し、前記キャップの内側壁は、前記プランジャの端部において前記凹部の側壁に隣接して配置され、前記キャップの内側壁は、前記バイアルの底部にある前記突起を滑り嵌めで受け入れるように構成される整形キャビティを画定し、前記整形キャビティは前記凹部開口に流体連通する上端を有し、前記キャップの外側壁の外面は、前記プランジャアセンブリが前記バイアル内に挿入される時に液密シールを形成するとともに、前記環状のキャップの前記バイアルの底部への移動を可能にするように、前記直径（Ｄ）よりも大きい直径を有する前記キャップと、
前記プランジャの内側環状面および前記環状のキャップの内側壁の間に配置されるフィルタとを含み、
前記プランジャアセンブリの底部上にある前記環状のキャップは、前記バイアルの底部において、前記環状凹部に嵌合するように構成されるフィルタバイアル装置。
【請求項２】
前記プランジャの底部にある前記環状のキャップは、前記バイアルの底部にある前記環状凹部の寸法および形状に適合し、前記底部および突起との間に滑り嵌めを形成すると共に、前記バイアルの側壁との間に滑り嵌めまたは締り嵌めを形成する請求項１に記載のフィルタバイアル装置。
【請求項３】
前記突起および整形キャビティはいずれも円錐形であり、同じ寸法を有すると共に、底部が上部へ向かう部分よりも大きい請求項１に記載のフィルタバイアル装置。
【請求項４】
浅いチャネルが前記バイアルの底部および前記突起の側面に形成され、流体を前記チャネルから前記フィルタへ移動される請求項１に記載のフィルタバイアル装置。
【請求項５】
前記プランジャの上端において、前記プランジャの流体保持キャビティに流体シールを設けるように構成される取り外し可能な端部キャップを更に含む請求項１に記載のフィルタバイアル装置。
【請求項６】
前記キャップの外側壁の上端は外方に延出するキャップフランジを有し、前記キャップの外側壁の外面に、前記バイアルの側壁と共に液密シールを形成する請求項１に記載のフィルタバイアル装置。
【請求項７】
前記管状のプランジャの外面において、前記プランジャの下端に隣接して配置される外方対向凹部を更に含み、前記キャップフランジは前記外方対向凹部内に配置され、前記プランジャは更に、前記外方対向凹部の下端において、或いは前記外方対向凹部の下端に隣接して外方に延出するプランジャフランジを有し、前記キャップの外側壁および外方対向凹部は、前記キャップの外側壁が前記プランジャフランジを越えて前記外方対向凹部まで延出するように配置され、前記フランジの位置における前記キャップの外側壁の外径は、使用時に、前記バイアルの側壁と液密嵌合を形成するために、前記直径（Ｄ）よりも大きい直径を有する請求項６に記載のフィルタバイアル装置。
【請求項８】
前記凹部の側壁は凸状であり、前記プランジャの長手軸線へ向けて湾曲し、前記環状のキャップの内側壁は、前記凹部の側壁の凸状面に整合するように、凹状であると共に、前記凹部の側壁の形状に適合する外面を有する請求項１に記載のフィルタバイアル装置。
【請求項９】
前記バイアルは、前記フィルタを通過させられる１０マイクロリットル以下の流体を保持するように構成される請求項１に記載のフィルタバイアル装置。
【請求項１０】
前記フィルタの上側において、前記フィルタに当接するフリット又はフィルタ支持体を更に含む請求項１に記載のフィルタバイアル装置。
【請求項１１】
前記プランジャアセンブリは前記バイアルの中にあり、前記フィルタを通過した流体は、前記プランジャの流体保持キャビティの中にある請求項１に記載のフィルタバイアル装置。
【請求項１２】
前記環状のキャップの下部は前記バイアルの下部に当接し、１０マイクロリットル未満の流体が、前記フィルタを通り前記プランジャの流体保持キャビティに移動する請求項１１に記載のフィルタバイアル装置。
【請求項１３】
前記環状のキャップの内側壁および外側壁の各々は、前記プランジャの一部に係合して、前記環状のキャップを前記プランジャの下端で保持する請求項１に記載のフィルタバイアル装置。
【請求項１４】
長手軸線を有するフィルタバイアル装置であって、
閉鎖された底部および開放された上部を有する円柱壁状のバイアルであって、該バイアルは、前記バイアルの底部に環状凹部を形成するように、前記底部上において前記上部へ向けて延出する中央に配置された突起を有する前記バイアルと、
前記バイアル内に延出する中空管状のプランジャであって、該プランジャは、軸線方向対向凹部を備えるとともに、前記管状のプランジャ内のキャビティに流体連通する凹部開口を画定するように取り囲む環状壁まで延びる環状の底部を有する前記プランジャと、
内側壁および外側壁を備えるとともに、前記内側壁および前記外側壁は、前記外側壁が前記プランジャの外側壁に接触した状態で前記プランジャの環状の底部を覆うように配置される環状のキャップであって、前記外側壁は外面を有し、前記外面の第１部分は、アセンブリの使用時に前記第１部分を前記バイアルの壁部に係合させるために十分な距離だけ前記プランジャが前記バイアル内に前進する際に、前記バイアルの円柱状壁との間に液密シールを形成する第１シール面を形成するために十分な距離だけ長手軸線から外向きに延出し、前記キャップの内側壁は、前記軸線方向対向凹部に嵌合し、かつフィルタを前記凹部の環状壁部で保持するとともに、前記環状のキャップの内側壁によって形成される整形キャビティに流体連通するように前記フィルタを配置するために十分な距離だけ延出し、前記環状のキャップは、前記バイアルの環状凹部内に嵌合し、前記バイアルの突起は、前記整形キャビティ内に滑り嵌めされるように構成されるフィルタバイアル装置。
【請求項１５】
前記第１シール面は、前記プランジャの下端にフランジを含み、前記環状のキャップの外側壁を前記バイアルの側壁に接触した状態で外方へ押す請求項１４に記載のフィルタバイアルアセンブリ。
【請求項１６】
前記第１シール面は、前記プランジャおよび環状のキャップの下端に配置される請求項１４に記載のフィルタバイアルアセンブリ。
【請求項１７】
前記第１シール面の上方に配置され、前記環状のキャップの外側壁の第２シール面を更に含む請求項１６に記載のフィルタバイアルアセンブリ。
【請求項１８】
前記突起は切頭円錐形状であり、前記キャップの内側壁は、切頭円錐形状の内方対向面を有する請求項１４に記載のフィルタバイアルアセンブリ。
【請求項１９】
前記プランジャの端部の軸線方向対向凹部は、凸状の側壁を有し、前記キャップは、前記凸状の側壁と嵌合するように構成される外方対向面を前記内側壁に有する請求項１８に記載のフィルタバイアルアセンブリ。
【請求項２０】
前記バイアルの底部のチャネルは、前記突起の表面のチャネルに流体連通し、前記フィルタバイアルアセンブリの使用時に、流体を容器の底部から前記フィルタへ向けて移動させる請求項１４に記載のフィルタバイアルアセンブリ。
【請求項２１】
流体を濾過する管状のプランジャアセンブリであって、
管状のプランジャであって、該プランジャは、少なくとも１個の開放された底部を有し、前記プランジャ内には、流体保持キャビティが設けられ、前記プランジャは、内側環状面および外側環状面を備えた下端を有し、前記内側環状面および前記外側環状面は、前記プランジャの長手軸線を取り囲むとともに、長手軸線に対して直交し、前記プランジャの下端にプランジャ凹部を画定するように、長手軸線を取り囲むとともに、長手軸線に対向する凹部側壁によって長手軸線に沿って所定距離だけ離間し、前記内側環状面は、前記凹部への開口を取り囲み画定し、前記開口は、前記プランジャの流体保持キャビティに流体連通する前記プランジャと、
環状のキャップ底部を有する環状のキャップであって、該環状のキャップ底部から内側壁および外側壁が延出し、前記キャップは、前記プランジャの下端を覆うように嵌合し、前記外側壁は、前記プランジャの下端の外面を覆うように嵌合し、前記内側壁および前記外側壁は、前記内側壁および前記外側壁の間に、前記外側環状面を受け入れ、前記内側壁は、前記プランジャ凹部の側壁に当接する外面を有し、前記内側壁の内面は、前記開口と前記凹部とを流体連通させる整形キャビティを画定し、前記内側壁は上端を有する前記キャップと、
前記内側壁の上端および前記内側環状面の間に配置されるフィルタとを備えるプランジャアセンブリ。
【請求項２２】
前記環状のキャップの外側壁の外面の一部は、前記プランジャアセンブリの使用の間に、前記キャップがフィルタバイアルに挿入された時に、前記環状のキャップの底部或いは該底部の近傍で、前記フィルタバイアルに接触して液密シールをもたらす第１シール面を形成するために十分な距離だけ外方に延出する請求項２１に記載の管状のプランジャアセンブリ。
【請求項２３】
前記第１シール面は、前記プランジャの端部のフランジによって、前記キャップの側壁の一部を外方へ押すように形成される請求項２２に記載の管状のプランジャアセンブリ。
【請求項２４】
前記フィルタおよび第１環状面の間に配置されるフリット又は支持体を更に含む請求項２２に記載の管状のプランジャアセンブリ。
【請求項２５】
前記長手軸線に沿って対向し、かつ長手軸線を取り囲むと共に、第１環状面および第２環状面の少なくとも一方に形成されるシール面を更に含む請求項２２に記載の管状のプランジャアセンブリ。
【請求項２６】
前記凹部側壁は凸状湾曲形状を有し、前記キャップの内側壁の外面は、結合凹形状を有する請求項２２に記載の管状のプランジャアセンブリ。
【請求項２７】
前記整形キャビティは切頭円錐形状である請求項２２に記載の管状のプランジャアセンブリ。
【請求項２８】
前記管状のプランジャは、第２環状面の位置において厚みがより大きい側壁を有する請求項２２に記載の管状のプランジャアセンブリ。
【請求項２９】
前記プランジャの上端において液密シールを解放可能に形成するように構成される取り外し可能なクロージャを更に含む請求項２２に記載の管状のプランジャアセンブリ。
【請求項３０】
前記プランジャは、前記長手軸線に対して直交し、連続湾曲の一つであり、或いは少なくとも３つの側面を備えた断面を有する請求項２２に記載の管状のプランジャアセンブリ。
【請求項３１】
突起は、前記長手軸線に対して直交し、連続湾曲の一つであり、或いは少なくとも３つの側面を備えた断面を有する請求項２２に記載の管状のプランジャアセンブリ。
【請求項３２】
請求項２２に記載のプランジャアセンブリと、
開放された上部および閉鎖された底部を有するフィルタバイアルであって、前記底部の中心に突起を備え、該突起は、長手軸線に沿って測定される前記環状のキャップの内側壁の高さと同じ距離だけ上部へ向けて延出し、前記突起は前記キャップにおいて、前記整形キャビティの形状に適合し、前記第１シール面との間に液密シールを形成するように、前記プランジャの底部において、前記キャップの外側壁の少なくとも一部の外径より小さい内径を有する前記フィルタバイアルとを備えるフィルタバイアルキット。
【請求項３３】
前記フィルタバイアルは取り外し可能なキャップを有し、３０マイクロリットル未満の容積を有する請求項３２に記載のフィルタバイアルキット。
【請求項３４】
前記バイアルの内側底部および突起は、前記キャップの底部および整形凹部の外形に適合するように構成される請求項３２に記載のフィルタバイアルキット。
【請求項３５】
前記フィルタバイアルの底部は、内部に形成される浅いチャネルを有し、該チャネルは前記突起の表面の浅いチャネルに流体連通し、該チャネルは、使用時に、流体を前記突起の上部へ移動させるように配向される請求項３４に記載のフィルタバイアルキット。
【請求項３６】
前記プランジャは、前記長手軸線に対して直交する断面において、連続した曲線からなり、或いは少なくとも３つの側面を備える請求項３２に記載の管状のプランジャアセンブリ。
【請求項３７】
前記突起は、前記長手軸線に対して直交する断面において、連続した曲線からなり、或いは少なくとも３つの側面を備える請求項３２に記載の管状のプランジャアセンブリ。
【請求項３８】
上端および下端を有するとともに、該下端に開口が形成された中空管状のプランジャと、
前記プランジャの下端の開口を横切って延在するフィルタと、
前記プランジャの下端に固定される環状のキャップであって、前記キャップの外側壁は、前記プランジャの下端の外面に沿って延出し、前記外側壁の一部は、第１シール面を形成するように所定距離だけ外向きに延出し、前記プランジャの下端の前記開口に流体連通する整形キャビティを形成する内側壁を備える前記キャップと、
開放された上部および閉鎖された底部を備えるバイアルであって、前記底部は、前記バイアルの開放された上部に向けて延出する中心突起を備え、前記バイアルは、前記バイアルおよび前記環状のキャップの間に液密シールを形成するために、断面において前記所定距離よりも小さい側壁を備え、前記環状のキャップの底部および整形凹部は、前記バイアル内の流体が前記整形キャビティおよび前記フィルタを通過するように、前記バイアルの底部および前記突起の形状に連結するように構成される前記バイアルとを備えるフィルタバイアルキット。
【請求項３９】
前記バイアル、プランジャ、および環状のキャップは円柱状の側壁を有する請求項３５に記載のフィルタバイアルキット。
【請求項４０】
前記バイアルの底部は、前記突起の表面の浅いチャネルに流体連通する浅いチャネルを有することにより、前記環状のキャップが前記バイアルの底部およびその突起と滑り嵌めされた時に、流体は前記チャネルを通り前記フィルタへ向けて押される請求項３９に記載のフィルタバイアルキット。
【請求項４１】
前記キャップの内側壁は、前記フィルタを所定位置に保持するために、前記プランジャの一部に接触するように前記フィルタを押す請求項３９に記載のフィルタバイアルキット。
【請求項４２】
前記整形キャビティは切頭円錐形状であり、前記突起は適合する切頭円錐形状を有し、流体を前記突起の上部へ移動させるために、前記突起の表面に浅いチャネルを備える請求項３９に記載のフィルタバイアルキット。
【請求項４３】
前記プランジャおよびバイアルは、前記長手軸線に対して直交する断面を有し、該断面は連続した曲線からなり、或いは少なくとも３つの側面を備える請求項３９に記載のフィルタバイアルキット。
【請求項４４】
前記突起は、前記長手軸線に対して直交する断面を有し、該断面は連続した曲線からなり、或いは少なくとも３つの側面を備える請求項３９に記載の管状のプランジャアセンブリ。
【請求項４５】
開放された上部および閉鎖された底部を備えるプラスチック製のフィルタバイアルを含み、前記上部および底部は、円柱状の側壁によって連結され、前記底部は、前記バイアルの長手軸線に沿って前記上部へ向けて短い距離だけ延出する突起を有し、前記フィルタバイアルは、３０マイクロリットル以下の容積と、１．２７ミリメートル（０．０５０インチ）以下の厚みの側壁とを有するフィルタバイアル。
【請求項４６】
前記突起は切頭円錐形状であり、０．５センチメートル（０．２インチ）未満の距離だけ延出する請求項４５に記載のフィルタバイアル。
【請求項４７】
前記バイアルの底部は、前記突起の外面の浅いチャネルに流体連通する浅いチャネルを有し、流体を該チャネルから前記突起の上部へ向けて移動させるように配向される請求項４５に記載のフィルタバイアル。
【請求項４８】
前記チャネルは放射状に配向される請求項４７に記載のフィルタバイアル。
【請求項４９】
内部流体キャビティを画定する側壁を備えるとともに上端および下端を備える管状のプランジャであり、前記プランジャの下端にプランジャ開口を備える前記プランジャと、
前記プランジャの下端に連結される環状のキャップであって、前記環状のキャップは、同心の内側壁および外側壁を備え、前記キャップの外側壁は、前記プランジャの外側壁に連結され、前記キャップの内側壁は、プランジャ開口に流体連通する整形キャビティを画定し、前記キャップの外側壁は、外側壁の底部に、あるいは外側壁の底部の近傍に外向きに延出する第１シール面を備える前記キャップと、
前記キャップの内側壁および前記プランジャ開口の間に配置されるフィルタと、
開放された上部および閉鎖された底部を有するバイアルであって、前記上部および前記底部は、前記第１シール面との間に駅蜜シールを形成するために十分な直径の円柱状側壁によって連結され、前記バイアルは、前記底部の中心から前記上部に向けて延出する突起を備え、前記環状のキャップの底部および、前記バイアルの底部は、相補形状を有し、該相補形状は、使用時に流体を前記バイアルから前記整形キャビティを通過させるような前記突起および前記整形キャビティの相補形状を含む前記バイアルとを備える流体濾過用のフィルタバイアル及びプランジャアセンブリ。
【請求項５０】
前記バイアルの底部および前記突起の外面に浅いチャネルを更に含み、該チャネルは流体を前記突起の上部へ向けて移動させるように配向される請求項４９に記載のフィルタバイアル。
【請求項５１】
前記突起は切頭円錐形状であり、前記チャネルは放射方向に沿って延びる請求項５０に記載のフィルタバイアル。